Podtech/llm-jp-corpus-v4-ja_patent huggingface dataset:
【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2020533277.tif 000001
（式中、
Ａは、独立して、Ｎ又はＣＨであり；
Ｗは、独立して、Ｎ又はＣＨであり；
Ａ及びＷの一方又は両方は、Ｎであり；
Ｒ１及びＲ２は、独立して、分岐状又は直鎖状Ｃ１〜６アルキルであり；
Ｒ３は、１つ又は２つのＲ５置換基によって置換されたフェニルであり；
Ｒ５は、独立して、１つ以上のハロ、−ＯＨ又はＮＨ２から選択され；
Ｒ４は、ハロである）
の構造を有する化合物又はその立体異性体、そのアトロプ異性体、その薬学的に許容される塩、前記その立体異性体の薬学的に許容される塩若しくは前記そのアトロプ異性体の薬学的に許容される塩。
【請求項２】
式（Ｉａ）
【化２】
2020533277.tif 000002
の構造を有する、請求項１に記載の化合物又はその薬学的に許容される塩。
【請求項３】
Ａは、Ｎである、請求項１又は２に記載の化合物。
【請求項４】
Ｗは、ＣＨである、請求項１又は２に記載の化合物。
【請求項５】
Ｒ１は、ＣＨ（ＣＨ３）２である、請求項１〜４のいずれか一項に記載の化合物。
【請求項６】
Ｒ２は、ＣＨ３である、請求項１〜５のいずれか一項に記載の化合物。
【請求項７】
Ｒ５は、Ｆである、請求項１〜６のいずれか一項に記載の化合物。
【請求項８】
Ｒ５は、−ＯＨである、請求項１〜６のいずれか一項に記載の化合物。
【請求項９】
Ｒ５は、−ＮＨ２である、請求項１〜６のいずれか一項に記載の化合物。
【請求項１０】
Ｒ３は、
【化３】
2020533277.tif 000003
である、請求項１〜６のいずれか一項に記載の化合物。
【請求項１１】
Ｒ４は、Ｆである、請求項１〜１０のいずれか一項に記載の化合物。
【請求項１２】
式（ＩＩ）
【化４】
2020533277.tif 000004
（式中、
Ａは、独立して、Ｎ又はＣＨであり；
Ｗは、独立して、Ｎ又はＣＨであり；
Ａ及びＷの一方又は両方は、Ｎであり；
Ｒ１及びＲ２は、独立して、分岐状又は直鎖状Ｃ１〜６アルキルであり；
Ｒ３は、１つ又は２つのＲ５置換基によって置換されたフェニルであり；
Ｒ５は、独立して、１つ以上のハロ、−ＯＨ又はＮＨ２から選択され；及び
Ｒ４は、ハロである）
の構造を有する化合物又はその立体異性体、そのアトロプ異性体、その薬学的に許容される塩、前記その立体異性体の薬学的に許容される塩若しくは前記そのアトロプ異性体の薬学的に許容される塩。
【請求項１３】
式（ＩＩａ）
【化５】
2020533277.tif 000005
の構造を有する、請求項１２に記載の化合物又はその立体異性体、その薬学的に許容される塩、前記その立体異性体の薬学的に許容される塩。
【請求項１４】
【化６】
2020533277.tif 000006
【化７】
2020533277.tif 000007
【化８】
2020533277.tif 000008
【化９】
2020533277.tif 000009
から選択される構造を有する請求項１又は１２の化合物又はその立体異性体、そのアトロプ異性体、その薬学的に許容される塩、前記その立体異性体の薬学的に許容される塩若しくは前記そのアトロプ異性体の薬学的に許容される塩。
【請求項１５】
【化１０】
2020533277.tif 000010
【化１１】
2020533277.tif 000011
【化１２】
2020533277.tif 000012
【化１３】
2020533277.tif 000013
から選択される構造を有する請求項１又は１２の化合物又は薬学的に許容される塩。
【請求項１６】
構造
【化１４】
2020533277.tif 000014
を有する、請求項１５に記載の化合物又はその薬学的に許容される塩。
【請求項１７】
構造
【化１５】
2020533277.tif 000015
を有する、請求項１５に記載の化合物又はその薬学的に許容される塩。
【請求項１８】
構造
【化１６】
2020533277.tif 000016
を有する、請求項１５に記載の化合物又はその薬学的に許容される塩。
【請求項１９】
請求項１〜１８のいずれか一項に記載の化合物及び薬学的に許容される賦形剤を含む医薬組成物。
【請求項２０】
細胞中のＫＲＡＳ  Ｇ１２Ｃを阻害するイン・ビトロ方法であって、前記細胞を、請求項１〜１８のいずれか一項に記載の化合物又は請求項１９の医薬組成物と接触させることを含む方法。
【請求項２１】
がんを治療するための、請求項１９に記載の医薬組成物。
【請求項２２】
前記がんは、非小細胞肺がん、大腸がん、膵臓がん、虫垂がん、子宮内膜がん、食道がん、胃がん、小腸がん、鼻腔がん、副鼻腔がん、胆管がん、皮膚がん又は眼内黒色腫である、請求項２１に記載の医薬組成物。
【請求項２３】
前記がんは、非小細胞肺がんである、請求項２１に記載の医薬組成物。
【請求項２４】
前記がんは、大腸がんである、請求項２１に記載の医薬組成物。
【請求項２５】
前記がんは、膵臓がんである、請求項２１に記載の医薬組成物。
【請求項２６】
前記がんは、ＫＲＡＳ  Ｇ１２Ｃ変異を有する、請求項２１〜２５のいずれか一項に記載の医薬組成物。
【請求項２７】
がんを治療するための医薬の製造のための、請求項１〜１８のいずれか一項に記載の化合物の使用。
【請求項２８】
前記がんは、非小細胞肺がん、結腸がん、膵臓がん、虫垂がん、子宮内膜がん、食道がん、胃がん、小腸がん、鼻腔がん、副鼻腔がん、胆管がん、皮膚がんまたは眼内黒色腫である、請求項２７に記載の使用。
【請求項２９】
前記がんは、非小細胞肺がんである、請求項２７に記載の使用。
【請求項３０】
前記がんは、大腸がんである、請求項２７に記載の使用。
【請求項３１】
前記がんは、膵臓がんである、請求項２７に記載の使用。
【請求項３２】
前記がんは、ＫＲＡＳ  Ｇ１２Ｃ変異を有する、請求項２７〜３１のいずれか一項に記載の使用。
【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
式（ＩＩＩ）の化合物の結晶形態を含む組成物であって、
【化１】
2020533283.tif 000001
ここで、前記組成物中の式（ＩＩＩ）の前記化合物の少なくとも９０重量％は、（Ｚ）−異性体であり、式（ＩＩＩ）の前記化合物の結晶形態は形態Ｉである、
組成物。
【請求項２】
前記結晶形態は、１６．８±０．３°、１７．１±０．３°、および２１．８±０．３°２θにおいて主ピークを含むＸ線粉末回折パターンを特徴とする、請求項１に記載の組成物。
【請求項３】
前記Ｘ線粉末回折パターンはさらに、１６．０±０．３°、１８．８±０．３°、および２６．５±０．３°２θから選択された少なくとも１つのピークを含む、請求項２に記載の組成物。
【請求項４】
前記Ｘ線粉末回折パターンはさらに、１２．３±０．３°、２８．０±０．３°、および２９．０±０．３°２θから選択された少なくとも１つのピークを含む、請求項２または３に記載の組成物。
【請求項５】
前記結晶形態は、図９あるいは図１０に実質的に記載されるＸ線粉末回折パターンを特徴とする、請求項１−４のいずれか１つに記載の組成物。
【請求項６】
前記組成物中の式（ＩＩＩ）の前記化合物の９０重量％、９５重量％、あるいは９９重量％より多くが、結晶形態Ｉである、請求項１−５のいずれか１つに記載の組成物。
【請求項７】
前記組成物は、５°Ｃおよび６０％の相対湿度で、または、２５°Ｃおよび６０％の相対湿度で少なくとも９ヶ月間安定している、請求項１−６のいずれか１つに記載の組成物。
【請求項８】
請求項１−７のいずれか１つに記載の組成物、および薬学的に許容可能な担体または希釈剤を含む、医薬組成物。
【請求項９】
前記医薬組成物は、経口、非経口、局所、あるいは管内の送達のために製剤化される、請求項８に記載の医薬組成物。
【請求項１０】
前記医薬組成物は、錠剤、カプレット、カプセル、あるいは丸剤として経口送達のために製剤化される、請求項８または９に記載の医薬組成物。
【請求項１１】
前記医薬組成物は、腸溶錠剤、腸溶カプレット、腸溶カプセル、遅延放出錠剤、遅延放出カプレット、あるいは遅延放出カプセルとして製剤化される、請求項８−１０のいずれか１つに記載の医薬組成物。
【請求項１２】
ゼラチンカプセル、ゼラチンを含まないカプセル、キャップ・イン・キャップのカプセル、アルギン酸カプセル、ヒドロキシプロピルメチル・セルロースカプセル、ポリビニルアルコールカプセル、ヒプロメロースカプセル、またはデンプンカプセルを含む、請求項８−１１のいずれか１つに記載の医薬組成物。
【請求項１３】
被験体を処置する方法で使用するための組成物であって、前記方法は、請求項１−７のいずれか１つに記載の組成物または請求項８−１２のいずれか１つに記載の医薬組成物を、前記被験体に投与する工程を含む、組成物。
【請求項１４】
前記被験体は、ホルモン依存性乳房障害、ホルモン依存性生殖器系障害、あるいはその両方を患っているか、患うリスクがある、請求項１３に記載の組成物。
【請求項１５】
前記被験体は前立腺癌を患っており、前記被験体はさらに女性化乳房を患っているか、患うリスクがある、請求項１３または１４に記載の組成物。
【請求項１６】
前記被験体は、タモキシフェン抵抗性あるいはタモキシフェン耐性のホルモン依存性乳房障害またはホルモン依存性生殖器系障害を患っている、請求項１３−１５のいずれか１つに記載の組成物。
【請求項１７】
前記方法は、１日あたり０．０１ｍｇ〜２００ｍｇの（Ｚ）−エンドキシフェンを前記被験体に投与する工程を含む、請求項１３−１６のいずれか１つに記載の組成物。
【請求項１８】
前記方法は、約１ｍｇ、約２ｍｇ、約４ｍｇ、約６ｍｇ、約１０ｍｇ、あるいは約２０ｍｇの（Ｚ）−エンドキシフェンを、前記被験体に毎日投与する工程を含む、請求項１３−１７のいずれか１つに記載の組成物。
【請求項１９】
前記組成物または前記医薬組成物は経口投与される、請求項１３−１８のいずれか１つに記載の組成物。
【請求項２０】
前記被験体におけるエンドキシフェンの平均半減期は、少なくとも３０時間から６０時間以下である、請求項１３−１９のいずれか１つに記載の組成物。
【請求項２１】
前記被験体におけるエンドキシフェンの平均半減期は、少なくとも４０時間から５５時間以下である、請求項１３−２０のいずれか１つに記載の組成物。
【請求項２２】
前記組成物または前記医薬組成物の毎日の投与は、被験体において、
７〜２１日以内のエンドキシフェンの定常状態の血漿レベル、
２５ｎＭから３００ｎＭに及ぶエンドキシフェンの定常状態の血漿レベル、
３０ｎＭよりも大きいエンドキシフェンの定常状態の血漿レベル、または、
投与後２〜１０時間以内のエンドキシフェンの最大の血漿レベル、
の１つ以上を達成する、請求項１３−２１のいずれか１つに記載の組成物。
【請求項２３】
前記組成物および前記医薬組成物中のエンドキシフェンの少なくとも８０％は、前記被験体の腸で放出される、請求項１３−２２のいずれか１つに記載の組成物。
【請求項２４】
前記被験体への投与後、前記被験体において、エンドキシフェンの無限時間まで外挿した曲線下平均面積（ＡＵＣ０−ｉｎｆ）が得られる、請求項１３−２３のいずれか１つに記載の組成物。
【請求項２５】
エンドキシフェンの定常状態の血漿レベルは、前記組成物または前記医薬組成物の最初の投与の７〜２１日以内に達成され、前記被験体におけるエンドキシフェンの定常状態の血漿レベルは、３０ｎＭよりも大きい、請求項１３−２４のいずれか１つに記載の組成物。
【請求項２６】
（Ｚ）−エンドキシフェンを製造するための産業上拡張可能なプロセスであって、前記プロセスは：
第１の結晶性固体と第１の母液を形成するために、（Ｅ）−エンドキシフェンと（Ｚ）−エンドキシフェンの混合物、
【化２】
2020533283.tif 000002
で表される式（ＩＩＩ）の化合物を、第１の溶剤からの分別結晶にさらす工程であって、ここで、前記第１の母液は、（Ｅ）−エンドキシフェンと（Ｚ）−エンドキシフェンの前記混合物のＥ／Ｚ比率と比較して、少なくとも５０％高い（Ｚ）−エンドキシフェンのＥ／Ｚ比率を有する、工程、
第２の結晶性固体と第２の母液を形成するために、前記第１の母液を濃縮することによって、あるいは、前記第１の母液からの前記第１の溶剤を１回以上、第２の溶剤と取り替えることによって、第２の溶剤からの再結晶化に前記第１の母液をさらす工程であって、ここで、前記第２の結晶性固体が、≧９０％（Ｚ）−エンドキシフェンである、工程、および、
随意に、第３の結晶性固体を形成するために、前記第２の結晶性固体を、第３の溶剤からの再結晶化あるいはクロマトグラフィー処理に１回以上さらす工程、
を含む、
プロセス。
【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
Ｅ−ＣＦ3ＣＨ＝ＣＨＣＦ3を調製するためのプロセスであって、
ＣＦ3ＣＨ2ＣＨＣｌＣＦ3を有効量の塩基で処理して、前記Ｅ−ＣＦ3ＣＨ＝ＣＨＣＦ3を含む混合物を形成する工程を含み、
前記プロセスが液相プロセスであり、
前記塩基が水酸化ナトリウム又は水酸化カリウムであり、
前記塩基が水酸化ナトリウムの場合、前記プロセスが相間移動触媒の存在下で行われ、前記相間移動触媒が第四級アンモニウム塩である、プロセス。
【請求項２】
前記混合物が、ヘキサフルオロイソブチレン（１３３６ｍｔ）、１，１，１，４，４，４−ヘキサフルオロブタン（３５６ｍｆｆ）、（Ｅ）−１−クロロ−１，１，４，４，４−ペンタフルオロブタ−２−エン（１３３５ｌｚｚ）、及びＺ−ＣＦ3ＣＨ＝ＣＨＣＦ3のうちの１つ以上を更に含む、請求項１に記載のプロセス。
【請求項３】
前記塩基が、約４Ｍ〜約１２Ｍの水溶液の状態にある水酸化ナトリウムである、請求項１に記載のプロセス。
【請求項４】
前記相間移動触媒が、メチルトリオクチルアンモニウムクロリドである、請求項１に記載のプロセス。
【請求項５】
前記Ｅ−ＣＦ3ＣＨ＝ＣＨＣＦ3が、前記混合物から実質的に単離される、請求項１に記載のプロセス。
【請求項６】
前記ＣＦ3ＣＨ2ＣＨＣｌＣＦ3が、触媒の存在下でＣＦ3ＣＨＣｌＣＨ2ＣＣｌ3をＨＦと接触させる工程を含む第２プロセスに従って調製され、前記第２プロセスが、約５０℃〜約１００℃の温度で行われる液相プロセスであり、前記触媒が、ＳｂＦ5、ＴａＣｌ5、及びクロロフッ化アンチモン（Ｖ）からなる群から選択される金属ハロゲン化物である、請求項１に記載のプロセス。
【請求項７】
前記ＣＦ3ＣＨＣｌＣＨ2ＣＣｌ3が、有機リン化合物、及び金属を含む触媒の存在下で、四塩化炭素を３，３，３−トリフルオロプロペンと接触させる工程を含む第３プロセスによって調製され、前記第３プロセスが液相プロセスであり、前記プロセスが、約１００℃〜約１２０℃の温度で行われ、前記触媒の金属がＦｅであり、前記有機リン化合物がトリアルキルホスフェートである、請求項６に記載のプロセス。
【請求項８】
前記有機リン化合物がトリブチルホスフェートである、請求項７に記載のプロセス。
【請求項９】
Ｅ−ＣＦ3ＣＨ＝ＣＨＣＦ3を調製するためのプロセスであって、
（ａ）有機リン化合物、及び液相中の金属を含む触媒の存在下で、約１００℃〜約１２０℃の温度で四塩化炭素を３，３，３−トリフルオロプロペンと接触させて、ＣＦ3ＣＨＣｌＣＨ2ＣＣｌ3を生成する工程であって、前記触媒の金属がＦｅであり、前記有機リン化合物が、トリブチルホスフェートである、工程と、
（ｂ）前記液相中の触媒の存在下で、約５０℃〜約１００℃の温度で前記ＣＦ3ＣＨＣｌＣＨ2ＣＣｌ3をＨＦと接触させて、ＣＦ3ＣＨ2ＣＨＣｌＣＦ3を生成する工程であって、前記触媒が、ＳｂＦ5、ＴａＣｌ5、及びクロロフッ化アンチモン（Ｖ）からなる群から選択される金属ハロゲン化物である、工程と、
（ｃ）前記ＣＦ3ＣＨ2ＣＨＣｌＣＦ3を有効量の塩基で処理して、前記Ｅ−ＣＦ3ＣＨ＝ＣＨＣＦ3を含む混合物を形成する工程であって、前記工程が液相プロセスであり、前記塩基が水酸化ナトリウム又は水酸化カリウムであり、前記塩基が水酸化ナトリウムの場合、前記工程が相間移動触媒の存在下で行われ、前記相間移動触媒が第四級アンモニウム塩であり、前記Ｅ−ＣＦ3ＣＨ＝ＣＨＣＦ3が前記混合物から実質的に単離される、工程と、
を含む、プロセス。
【請求項１０】
前記工程（ｃ）の混合物が、ヘキサフルオロイソブチレン（１３３６ｍｔ）、１，１，１，４，４，４−ヘキサフルオロブタン（３５６ｍｆｆ）、（Ｅ）−１−クロロ−１，１，４，４，４−ペンタフルオロブタ−２−エン（１３３５ｌｚｚ）、及びＺ−ＣＦ3ＣＨ＝ＣＨＣＦ3のうちの１つ以上を更に含む、請求項９に記載のプロセス。
【請求項１１】
組成物であって、
（ａ）Ｅ−ＣＦ3ＣＨ＝ＣＨＣＦ3と、
（ｂ）ヘキサフルオロイソブチレン（１３３６ｍｔ）、１，１，１，４，４，４−ヘキサフルオロブタン（３５６ｍｆｆ）、（Ｅ）−１−クロロ−１，１，４，４，４−ペンタフルオロブタ−２−エン（１３３５ｌｚｚ）、及びＺ−ＣＦ3ＣＨ＝ＣＨＣＦ3からなる群から選択される１つ以上の追加化合物と、
を含み、
前記組成物が、約９９モル％を超えるＥ−ＣＦ3ＣＨ＝ＣＨＣＦ3を含む、組成物。
【手続補正書】
【提出日】令和3年9月9日(2021.9.9)
【手続補正１】
【補正対象書類名】特許請求の範囲
【補正対象項目名】全文
【補正方法】変更
【補正の内容】
【特許請求の範囲】
【請求項１】
水素を貯蔵するためのアルコキシアミン‐ボラン錯体の使用。
【請求項２】
水素を貯蔵し、その後水素を放出するためのアルコキシアミン‐ボラン錯体の、請求項1に記載の使用。
【請求項３】
前記錯体が式（I）
【化１】
2020533265.tif 000001
（ここでRおよびR’は水素、C1〜C10アルキルまたはC3〜C10シクロアルキルから独立して選択される）
のアルコキシアミン‐ボランである、請求項1に記載のアルコキシアミン‐ボラン錯体の使用。
【請求項４】
アルコキシアミン‐ボラン錯体の脱水素化ステップを含む、アルコキシアミン‐ボラン錯体からの水素放出方法。
【請求項５】
少なくとも1つのアルコキシアミン‐ボラン錯体を触媒に接触させるステップか、前記アルコキシアミン‐ボラン錯体の加熱ステップかを含む、請求項4に記載の水素放出方法。
【請求項６】
少なくとも1つのアルコキシアミン‐ボラン錯体をロジウム、プラチナ、パラジウム、金、またはニッケル錯体、特にRhCl(PPh3)3、NiCl2(PPh3)2、Rh@TBABおよびNi@TBAB、Pd(OH)2/C、PtCl2、PdCl2、KAuCl4、Pt(PPh3)4から選択される錯体に接触させるステップを含む、請求項4に記載の水素放出方法。
【請求項７】
アルコキシアミン‐ボラン錯体をRhCl(PPh3)3に接触させるステップを含む、請求項4に記載の水素放出方法。
【請求項８】
アルコキシアミン‐ボラン錯体をNiCl2(PPh3)2に接触させるステップを含む、請求項4に記載の水素放出方法。
【請求項９】
アルコキシアミン‐ボラン錯体をRh@TBABに接触させるステップを含む、請求項4に記載の水素放出方法。
【請求項１０】
アルコキシアミン‐ボラン錯体をNi@TBABに接触させるステップを含む、請求項4に記載の水素放出方法。
【請求項１１】
80℃を超えて、好ましくは120℃を超えた温度に前記アルコキシアミン‐ボラン錯体の加熱ステップを含む、請求項4に記載の水素放出方法。
【請求項１２】
式（II）
【化２】
2020533265.tif 000002
（ここでRおよびR’は水素、C1〜C10アルキルまたはC3〜C10シクロアルキルから選択される）
のヒドロキシルアミン、またはこれらの塩、例えば塩酸塩と、NaBH4、および鉱酸、好ましくはH2SO4またはHClとを合わせるステップを含み、精製ステップを必要としない、式（I）のアルコキシアミン‐ボラン錯体の製造法。
【請求項１３】
下に記載のアルコキシアミン‐ボラン錯体：
【化３】
2020533265.tif 000003
の製造法であり、それぞれ下に記載のヒドロキシルアミン塩酸塩：
【化４】
2020533265.tif 000004
と、NaBH4および鉱酸、好ましくはH2SO4またはHClとを合わせるステップを含み、精製ステップを必要としない、請求項12に記載の製造法。
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
多孔質還元シリカ繊維であって、約０．１〜約２０ミクロンの直径、約５ｍ２／ｇ〜約４００ｍ２／ｇの表面積、および約０．０１ｃｍ３／ｇ〜約１．５ｃｍ３／ｇの多孔度を有し、
前記多孔質還元シリカ繊維は、ＳｉＯｘを含み、前記ｘは０−２であり、および
前記多孔質還元シリカ繊維は、約２０重量パーセントより大きいシリコンを含む、多孔質還元シリカ繊維。
【請求項２】
請求項１記載の多孔質還元シリカ繊維において、約２〜約１５ミクロンの直径を有する、多孔質還元シリカ繊維。
【請求項３】
請求項１記載の多孔質還元シリカ繊維において、約３０ｍ２／ｇ〜約３００ｍ２／ｇの表面積を有する、多孔質還元シリカ繊維。
【請求項４】
請求項１記載の多孔質還元シリカ繊維において、約０．１ｃｍ３／ｇ〜約０.７ｃｍ３／ｇの多孔度を有する、多孔質還元シリカ繊維。
【請求項５】
請求項１記載の多孔質還元シリカ繊維において、約１ｎｍ〜約９０ｎｍの中央孔径を有する、多孔質還元シリカ繊維。
【請求項６】
請求項１記載の多孔質還元シリカ繊維において、約０．１ｎｍ〜約１５０ｎｍの孔径を有する、多孔質還元シリカ繊維。
【請求項７】
請求項６記載の多孔質還元シリカ繊維において、約１ｎｍ〜約１００ｎｍの孔径を有する、多孔質還元シリカ繊維。
【請求項８】
請求項１記載の多孔質還元シリカ繊維を製造する方法であって、
シリカ前駆体、ポリマー、および界面活性剤を含む溶液を提供する工程と、
前記溶液を繊維化して繊維を生成する工程と、
前記繊維を加熱してシリカベースの前駆体繊維を生成する工程と、
前記シリカベースの前駆体繊維を磁気熱還元に供して、前記シリカベースの前駆体繊維から少なくともいくらかの酸素を除去し、還元シリカ繊維を生成する工程と、および
前記還元シリカ繊維を酸で洗浄して、マグネシウム含有反応生成物を除去し、前記多孔質還元シリカ繊維を生成する工程と、
を有する、方法。
【請求項９】
請求項１記載の多孔質還元シリカ繊維を製造する方法であって、
シリカ（ＳｉＯ２）および酸化ナトリウム（Ｎａ２Ｏ）、三酸化ホウ素（Ｂ２Ｏ３）、酸化リチウム（Ｌｉ２Ｏ）、酸化カルシウム（ＣａＯ）およびマグネシア（ＭｇＯ）の少なくとも１つを含む溶融物を提供する工程と、
前記溶融物を繊維化して繊維を生成する工程と、
前記繊維を処理して少なくとも非シリカ成分の一部を除去し、シリカベースの前駆体繊維を生成する工程と、
前記シリカベースの前駆体繊維を磁気熱還元に供して、前記シリカベースの前駆体繊維から少なくともいくらかの酸素を除去し、還元シリカ繊維を生成する工程と、および
前記還元シリカ繊維を酸で洗浄して、マグネシウム含有反応生成物を除去し、前記多孔質還元シリカ繊維を生成する工程と、
を有する、方法。
【請求項１０】
バインダーおよび請求項１記載の多孔質還元シリカ繊維を含む電池電極。
【請求項１１】
請求項１０記載の電池電極において、約３０％〜約１００％のクーロン効率を有する、電池電極。
【請求項１２】
請求項１０記載の電池電極において、約０．４〜約１．０の容量比サイクル３／サイクル１を有する、電池電極。
【請求項１３】
請求項１０記載の電池電極において、約０．１〜約１．０の容量比サイクル１０／サイクル１を有する、電池電極。
【請求項１４】
請求項１０記載の電極を含む、リチウムイオン電池。
【請求項１５】
多孔質還元シリカ繊維であって、約０．１〜約２０ミクロンの直径、約５ｍ２／ｇ〜約４００ｍ２／ｇの表面積、および約０．０１ｃｍ３／ｇ〜約１．５ｃｍ３／ｇの多孔度を有し、
前記多孔質還元シリカ繊維は、ＳｉＯｘを含み、前記ｘは０−２であり、および
前記多孔質還元シリカ繊維は、（ｉ）約２０重量パーセントより大きいシリコンおよび（ｉｉ）二酸化ケイ素を含む、多孔質還元シリカ繊維。
【請求項１６】
請求項１５記載の多孔質還元シリカ繊維において、約３０ｍ２／ｇ〜約３００ｍ２／ｇの表面積を有する、多孔質還元シリカ繊維。
【請求項１７】
請求項１５記載の多孔質還元シリカ繊維において、約０．１ｃｍ３／ｇ〜約０.７ｃｍ３／ｇの多孔度を有する、多孔質還元シリカ繊維。
【請求項１８】
請求項１５記載の多孔質還元シリカ繊維において、約１ｎｍ〜約９０ｎｍの中央孔径を有する、多孔質還元シリカ繊維。
【請求項１９】
バインダーおよび請求項１５記載の多孔質還元シリカ繊維を含む、電池電極。
【請求項２０】
請求項１９記載の電極を含む、リチウムイオン電池。
【請求項２１】
多孔質還元シリカ繊維であって、本質的にＳｉＯｘからなり、前記ｘは０−２であり、
前記多孔質還元シリカ繊維は、約０．１〜約２０ミクロンの直径、約５ｍ２／ｇ〜約４００ｍ２／ｇの表面積、約０．０１ｃｍ３／ｇ〜約１．５ｃｍ３／ｇの多孔度、および約２０重量パーセントより大きいシリコンを有する、多孔質還元シリカ繊維。
【手続補正２】
【補正対象書類名】明細書
【補正対象項目名】０００５
【補正方法】変更
【補正の内容】
【０００５】
したがって、改善されたシリコンベースのアノード材料およびそのようなシリコンベースのアノード材料を調製する方法が引き続き必要とする。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第５，１７６，８５７号明細書
（特許文献２）  米国特許第４，１２５，４０６号明細書
（特許文献３）  米国特許出願公開第２０１３／０１８９５７５号明細書
（特許文献４）  米国特許出願公開第２０１５／０１０４７０５号明細書
（非特許文献）
（非特許文献１）  ＺＵＯ  ｅｔ  ａｌ．，Ｓｉｌｉｃｏｎ  ｂａｓｅｄ  ｌｉｔｈｉｕｍ−ｉｏｎ  ｂａｔｔｅｒｙ  ａｎｏｄｅｓ：  Ａ  ｃｈｒｏｎｉｃｌｅ  ｐｅｒｓｐｅｃｔｉｖｅ  ｒｅｖｉｅｗ，Ｎａｎｏ  Ｅｎｅｒｇｙ，Ｖｏｌ．３１，０２  Ｊａｎｕａｒｙ  ２０１７  ［ｒｅｔｒｉｅｖｅｄ  ｏｎ  ２４  Ｏｃｔｏｂｅｒ  ２０１８］．Ｒｅｔｒｉｅｖｅｄ  ｌｒｏｍ  ｔｈｅ  ｉｎｔｅｒｎｅｔ：＜ＵＲＬ：  ｈｔｔｐｓ：／／ｚｅｎｏｄｏ．ｏｒｇ／ｒｅｃｏｒｄ／１１９７１３４＃．Ｗ９ＤＭｆ１ＶＫｊＢｓ＞  Ｐｇｓ．１−８，７６−１１３
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
物質使用障害の治療に使用するための、マジンドール含有組成物であって、
前記物質がオピオイドである、組成物。
【請求項２】
物質使用障害の治療に使用するための、マジンドールと薬学的に許容可能な担体又は賦形剤及び／又は希釈剤とを含有する組成物であって、
前記物質がオピオイドである、組成物。
【請求項３】
物質使用障害の治療に使用するための、マジンドール含有組成物であって、
前記物質がヘロインである、組成物。
【請求項４】
物質使用障害の治療に使用するための、マジンドールと薬学的に許容可能な担体又は賦形剤及び／又は希釈剤とを含有する組成物であって、
前記物質がヘロインである、組成物。
【請求項５】
前記マジンドールを含む組成物が、経口投与のための組成物である、請求項１〜４のいずれか一項に記載の組成物。
【請求項６】
毎日投与するための組成物である、請求項１〜５のいずれか一項に記載の組成物。
【請求項７】
錠剤の形態である、請求項１〜６のいずれか一項に記載の組成物。
【請求項８】
前記錠剤は、１ｍｇ〜６ｍｇのマジンドールを含む、請求項７に記載の組成物。
【請求項９】
前記組成物は、
マジンドール及び少なくとも１種の希釈剤を含む少なくとも１つの即時放出性（ＩＲ）層と、
マジンドール及び少なくとも１種の持続放出性でｐＨ非依存性かつ水不溶性のポリマーを含む少なくとも１つの持続放出性（ＳＲ）層と、
を含む多層マトリックス型錠剤の形態である、請求項１〜８のいずれか一項に記載の組成物。
【請求項１０】
前記ＩＲ層と前記ＳＲ層との重量比は、４０：６０から８０：２０の間、５０：５０から７０：３０の間、あるいは５０：５０である、請求項９に記載の組成物。
【請求項１１】
前記錠剤は、１時間で６０％から８０％の間の溶解性及び２時間で７０％から９０％の間の溶解性を有する、請求項９又は１０に記載の組成物。
【請求項１２】
疼痛の治療のための、請求項５〜１１のいずれか一項に記載の組成物。
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
レボドパ誘発性ジスキネジア（ＬＩＤ）に罹患した対象を治療するための医薬組成物であって、
プリドピジンまたはその薬学的に許容される塩を含有し、
前記プリドピジンまたはその薬学的に許容される塩が所定の用量で投与されるように適合され、
前記用量は、１５０〜４００ｍｇ／日である、医薬組成物。
【請求項２】
前記対象は、パーキンソン病に罹患している、請求項１に記載の医薬組成物。
【請求項３】
前記対象は、パーキンソン病以外のパーキンソン症候群に罹患している、請求項１に記載の医薬組成物。
【請求項４】
前記対象は、レボドパで同時に治療されている、請求項１に記載の医薬組成物。
【請求項５】
前記プリドピジン及び前記レボドパは同時に投与される、請求項４に記載の医薬組成物。
【請求項６】
前記プリドピジン及び前記レボドパは合剤される、請求項５に記載の医薬組成物。
【請求項７】
前記プリドピジン及び前記レボドパは、別個の医薬製剤として連続的に投与される、請求項４に記載の医薬組成物。
【請求項８】
前記プリドピジンの量は、レボドパ治療に関連する症状を緩和または軽減するのに有効な量である、請求項１に記載の医薬組成物。
【請求項９】
前記症状は、異常な動き、ミオクローヌス発作、四肢の不規則動作、歩行失調、しかめ面、運動失調、動作、手の動き若しくはバランスの維持困難、舞踏病様のピークドーズジスキネジア、またはジストニア様のピークドーズジスキネジアである、請求項８に記載の医薬組成物。
【請求項１０】
前記症状は、レボドパによって誘発されるバッドクオリティ・オンタイムである、請求項８に記載の医薬組成物。
【請求項１１】
前記プリドピジンの投与により、ＭＤＳ−ＵＰＤＲＳまたはＵＤｙｓＲＳで測定して、レボドパ誘発性運動障害の症状が、少なくとも１０％、少なくとも２０％、少なくとも３０％、または少なくとも５０％改善される、請求項８に記載の医薬組成物。
【請求項１２】
前記プリドピジンは、経口投与により投与される、請求項１に記載の医薬組成物。
【請求項１３】
前記プリドピジンは、１日１回または１日２回投与される、請求項１に記載の医薬組成物。
【請求項１４】
前記プリドピジンは、プリドピジン塩の形態で投与される、請求項１に記載の医薬組成物。
【請求項１５】
前記プリドピジン塩は、プリドピジン塩酸塩である、請求項１４に記載の医薬組成物。
【請求項１６】
前記プリドピジンは、２００ｍｇ／日の用量で投与される、請求項１に記載の医薬組成物。
【請求項１７】
前記プリドピジンは、１日２回または４回、等用量で投与される、請求項１に記載の医薬組成物。
【請求項１８】
達成されるＡＵＣ０−２４が、２５、０００〜６０、０００ｈ・ｎｇ／ｍｌである、請求項１に記載の医薬組成物。
【請求項１９】
前記医薬組成物の投与は、ＬＩＤの発症を遅延させるか、またはＬＩＤを発症するリスクを低下させる、請求項１に記載の医薬組成物。
【請求項２０】
前記対象は、パーキンソン病の治療のためのレボドパの投与を受けている、請求項１に記載の医薬組成物。
【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
鉄錯体化合物を調製する方法であって
（ｉ）水溶性鉄塩、水酸化鉄または水酸化酸化鉄から選択される形態の鉄を含む鉄調製物を用意する工程であって、
−  鉄調製物中のヒ素の量が、鉄１ｇ当たり４．５μｇを超えず、
−  鉄調製物中の鉛の量が、鉄１ｇ当たり１．５μｇを超えない、
工程、ならびに
（ｉｉ）水の存在下で、鉄調製物を配位子と接触させて、鉄錯体化合物を形成する工程を含む方法。
【請求項２】
−  鉄調製物中のカドミウムの量が、鉄１ｇ当たり０．６μｇを超えず、
−  鉄調製物中の水銀の量が、鉄１ｇ当たり０．９μｇを超えない、
請求項１に記載の方法。
【請求項３】
−  鉄調製物中のクロムの量が、鉄１ｇ当たり３３０μｇを超えない、
請求項１または請求項２に記載の方法。
【請求項４】
鉄調製物中のアルミニウムの量が、鉄１ｇ当たり２００μｇを超えない、請求項１〜３のいずれか１項に記載の方法。
【請求項５】
鉄調製物が、
（ａ）ペンタカルボニル鉄から；または
（ｂ）鉄塩の水溶液から鉄塩の再結晶化によって、好ましくは硝酸を含有する水溶液から硝酸第二鉄の再結晶化によって、または
（ｃ）鉄塩水溶液を有機溶媒で抽出することによって、好ましくは、塩化第二鉄溶液を、４〜２０個の炭素原子を有するアルコールもしくはアミン塩の有機溶液で抽出することによって、または
（ｄ）鉄塩水溶液、好ましくは塩化鉄もしくは硫酸鉄を含む水溶液の電気分解の間にアノードで堆積される鉄から、または
（ｅ）鉄塩水溶液を、塩基と接触させて水酸化鉄の沈殿物を形成し、沈殿物をろ過もしくは遠心分離によって液体から分離することによって、ここで、塩基は、好ましくは水酸化ナトリウムおよび炭酸ナトリウムから選択され；または
（ｆ）塩化第二鉄および不揮発性不純物を含む混合物から塩化第二鉄を蒸留することによって
得られる、請求項１〜４のいずれか１項に記載の方法。
【請求項６】
−  鉄錯体化合物中のヒ素の量が、鉄１ｇ当たり４．５μｇを超えず、好ましくは鉄１ｇ当たり１．５μｇを超えず、
−  鉄錯体化合物中の鉛の量が、鉄１ｇ当たり１．５μｇを超えず、好ましくは鉄１ｇ当たり０．５μｇを超えない、
鉄錯体化合物。
【請求項７】
−  鉄錯体化合物中のカドミウムの量が、鉄１ｇ当たり０．６μｇを超えず、好ましくは鉄１ｇ当たり０．４μｇを超えず、
−  鉄錯体化合物中の水銀の量が、鉄１ｇ当たり０．９μｇを超えず、好ましくは鉄１ｇ当たり０．３μｇを超えない、
請求項６に記載の鉄錯体化合物。
【請求項８】
−  鉄錯体化合物中のクロムの量が、鉄１ｇ当たり３３０μｇを超えず、好ましくは鉄１ｇ当たり１００μｇを超えない、
請求項６または請求項７に記載の鉄錯体化合物。
【請求項９】
鉄錯体化合物中のアルミニウムの量が、鉄１ｇ当たり２００μｇを超えず、好ましくは鉄１ｇ当たり２５μｇを超えない、鉄錯体化合物。
【請求項１０】
鉄錯体化合物が鉄炭水化物錯体化合物であり、任意選択により、鉄錯体化合物中で配位子として働く炭水化物中の還元性アルデヒド基の含有量が、酸化、水素化またはその両方の組合せによって低減されている、請求項１〜５のいずれか１項に記載の方法または請求項６〜９のいずれか１項に記載の鉄錯体化合物。
【請求項１１】
鉄炭水化物錯体化合物が、カルボキシマルトース鉄、ポリグルコースソルビトールカルボキシメチルエーテル鉄錯体、デキストラン鉄、水素化デキストラン鉄、スクロース鉄、グルコン酸鉄、ポリマルトース鉄、鉄水素化オリゴ糖、例えば、水素化オリゴイソマルトース鉄、ヒドロキシエチルデンプン鉄、デキストラングルコヘプトン酸鉄ならびにその２種以上の混合物から選択される、請求項１０に記載の方法または鉄錯体化合物。
【請求項１２】
鉄炭水化物錯体化合物が、水素化デキストラン鉄または水素化オリゴイソマルトース鉄である、請求項１１に記載の方法または鉄錯体化合物。
【請求項１３】
水素化オリゴイソマルトース鉄が、式
｛ＦｅＯ（１−３Ｘ）（ＯＨ）（１＋３Ｘ）（Ｃ６Ｈ５Ｏ７３−）Ｘ｝，（Ｈ２Ｏ）Ｔ，（Ｃ６Ｈ１０Ｏ６）Ｒ（−Ｃ６Ｈ１０Ｏ５−）Ｚ（Ｃ６Ｈ１３Ｏ５）Ｒ，（ＮａＣｌ）Ｙ（式中、Ｘは約０．０３１であり、Ｔは約０．２５であり、Ｒは約０．１４であり、Ｚは約０．４９であり、Ｙは約０．１４である）を有する、請求項１２に記載の方法または鉄錯体化合物。
【請求項１４】
水素化オリゴイソマルトース鉄が、デルイソマルトース第二鉄である、請求項１２に記載の方法または鉄錯体化合物。
【請求項１５】
非ヒト動物またはヒト対象、好ましくは、腎機能の喪失または障害を患っているヒト対象、例えば透析を必要とするヒトにおける鉄欠乏症の治療または予防に用いられる、請求項６〜１３のいずれか１項に記載の鉄錯体化合物。
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
ＡＦＸ骨格型の分子ふるいを合成する方法であって、
（ａ）
（１）酸化ケイ素と（２）酸化アルミニウムとの組み合わされた供給源としてのゼオライトＹ；
（３）ナトリウムを含むが実質的にカリウムを含まない１族金属（Ｍ）の供給源；
（４）ヘキサメトニウムジカチオン、１，６−ビス（Ｎ−メチルピロリジニウム）ヘキサンジカチオン、および１，４−ビス（Ｎ−メチルピロリジニウム）ブタンジカチオンの１種以上を含む構造規定剤（Ｑ）；
（５）水酸化物イオンの供給源；および
（６）水、
を含む反応混合物を調製すること：ならびに
（ｂ）前記反応混合物を、前記分子ふるいの結晶を形成するのに十分な結晶化条件に供すること、
を含む方法。
【請求項２】
前記反応混合物が、モル比換算で、以下の組成を有する、請求項１に記載の方法。
【表１】
2020533259.tif 000001
【請求項３】
前記反応混合物が、モル比換算で、以下の組成を有する、請求項１に記載の方法。
【表２】
2020533259.tif 000002
【請求項４】
前記結晶化条件が、１２５℃〜２００℃の温度を含む、請求項１に記載の方法。
【請求項５】
ＡＦＸ骨格型で、かつ合成されたままの形態で、ヘキサメトニウムジカチオン、１，６−ビス（Ｎ−メチルピロリジニウム）ヘキサンジカチオン、および１，４−ビス（Ｎ−メチルピロリジニウム）ブタンジカチオンの１種以上をその細孔中に含む、分子ふるい。
【請求項６】
５〜５０の範囲のＳｉＯ２／Ａｌ２Ｏ３モル比を有する、請求項５に記載の分子ふるい。
【請求項７】
５〜２５の範囲のＳｉＯ２／Ａｌ２Ｏ３モル比を有する、請求項５に記載の分子ふるい。
【手続補正２】
【補正対象書類名】明細書
【補正対象項目名】００６８
【補正方法】変更
【補正の内容】
【００６８】
生成物は、ＩＣＰ元素分析により測定して、１２．２３のＳｉＯ２／Ａｌ２Ｏ３モル比を有していた。
なお、下記［１］から［７］は、いずれも本発明の一形態又は一態様である。
［１］
ＡＦＸ骨格型の分子ふるいを合成する方法であって、
（ａ）
（１）酸化ケイ素の供給源；
（２）酸化アルミニウムの供給源；
（３）ナトリウムを含むが実質的にカリウムを含まない１族金属（Ｍ）の供給源；
（４）ヘキサメトニウムジカチオン、１，６−ビス（Ｎ−メチルピロリジニウム）ヘキサンジカチオン、および１，４−ビス（Ｎ−メチルピロリジニウム）ブタンジカチオンの１種以上を含む構造規定剤（Ｑ）；
（５）水酸化物イオンの供給源；および
（６）水、
を含む反応混合物を調製すること：ならびに
（ｂ）前記反応混合物を、前記分子ふるいの結晶を形成するのに十分な結晶化条件に供すること、
を含む方法。
［２］
前記反応混合物が、モル比換算で、以下の組成を有する、［１］に記載の方法。
【表３】
2020533259.tif 000003
［３］
前記反応混合物が、モル比換算で、以下の組成を有する、［１］に記載の方法。
【表４】
2020533259.tif 000004
［４］
前記結晶化条件が、１２５℃〜２００℃の温度を含む、［１］に記載の方法。
［５］
ＡＦＸ骨格型で、かつ合成されたままの形態で、ヘキサメトニウムジカチオン、１，６−ビス（Ｎ−メチルピロリジニウム）ヘキサンジカチオン、および１，４−ビス（Ｎ−メチルピロリジニウム）ブタンジカチオンの１種以上をその細孔中に含む、分子ふるい。
［６］
５〜５０の範囲のＳｉＯ２／Ａｌ２Ｏ３モル比を有する、［５］に記載の分子ふるい。
［７］
５〜２５の範囲のＳｉＯ２／Ａｌ２Ｏ３モル比を有する、［５］に記載の分子ふるい。
【誤訳訂正書】
【提出日】令和3年8月10日(2021.8.10)
【誤訳訂正１】
【訂正対象書類名】特許請求の範囲
【訂正対象項目名】全文
【訂正方法】変更
【訂正の内容】
【特許請求の範囲】
【請求項１】
連続気泡フォーム構造を有するメラミン／ホルムアルデヒドフォームであって、
フォーム構造に適用された状態の含浸物を有し、該含浸物は、アミノシランで表面修飾された少なくとも１種の粒子状フィロシリケート及びアニオン的に及び／又は非イオン的に安定化された少なくとも１種のポリウレタン分散体を含み、及び
前記含浸物により適用された物質は、乾燥されていることが可能である、ことを特徴とするメラミン／ホルムアルデヒドフォーム。
【請求項２】
前記アミノシランで表面修飾された粒子状フィロシリケートが、０．２〜１０μｍの平均粒径（光散乱、マルバーン、フラウンホーファー回折によって決定されたＺ平均値）を有する、請求項１に記載のフォーム。
【請求項３】
前記アミノシランで表面修飾された少なくとも１種の粒子状フィロシリケートが、１００質量部の含浸されていないメラミン／ホルムアルデヒドフォームに基づいて、５０〜３５０質量部の量で前記フォーム構造に適用されている、請求項１又は２に記載のフォーム。
【請求項４】
前記アニオン的に及び／又は非イオン的に安定化された少なくとも１種のポリウレタン分散体が、前記含浸物の乾燥質量に基づいて、０．５質量％〜１０質量％の量で使用される、請求項１から３のいずれか一項に記載のフォーム。
【請求項５】
前記含浸されていないメラミン／ホルムアルデヒドフォームが５〜１２ｇ／ｌの範囲の密度を有する、請求項１から４のいずれか一項に記載のフォーム。
【請求項６】
前記含浸されたメラミン／ホルムアルデヒドフォームの密度が、前記含浸されていないメラミン／ホルムアルデヒドフォームの密度より少なくとも３ｇ／ｌ高い、請求項１から５のいずれか一項に記載のフォーム。
【請求項７】
前記メラミン／ホルムアルデヒドフォームが、５：１〜１．３：１の範囲のホルムアルデヒドとメラミンのモル比を有する、請求項１から６のいずれか一項に記載のフォーム。
【請求項８】
前記アニオン的に及び／又は非イオン的に安定化された少なくとも１種のポリウレタン分散体が、式−Ｎ＝Ｃ＝Ｎ−のカルボジイミド構造単位を含むポリウレタンの水性分散体である、請求項１から７のいずれか一項に記載のフォーム。
【請求項９】
前記式−Ｎ＝Ｃ＝Ｎ−のカルボジイミド構造単位が、テトラメチルキシリレンジイソシアネート（ＴＭＸＤＩ）を介して前記ポリウレタン中に導入される、請求項８に記載のフォーム。
【請求項１０】
式−Ｎ＝Ｃ＝Ｎ−のカルボジイミド構造単位の含有量が、前記ポリウレタンに基づいて５〜２００ｍｌ／ｋｇである、請求項８又は９に記載のフォーム。
【請求項１１】
前記含浸物が、疎水剤及び／又は疎油剤及び／又は分散剤をさらに含む、請求項１から１０のいずれか一項に記載のフォーム。
【請求項１２】
その外表面が、平坦なガラス繊維不織布、鉱物繊維不織布、炭素繊維不織布、炭素繊維織物、ガラス繊維織物、鉱物繊維織物、又は金属ホイルで少なくとも部分的にラミネートされている、請求項１から１１のいずれか一項に記載のフォーム。
【請求項１３】
請求項１から１１のいずれか一項に記載のメラミン／ホルムアルデヒドフォームを製造する方法であって、以下の工程：
（ａ）  アミノシランで表面修飾された少なくとも１種の粒子状フィロシリケートを、アニオン的に及び／又は非イオン的に安定化された少なくとも１種のポリウレタン分散体、及び任意に分散剤及び疎水剤／疎油剤と混合する工程と、
（ｂ）  工程（ａ）からの混合物を前記フォームに適用する工程と、
（ｃ）  任意に、次に前記混合物を前記フォームの細孔中に導入するように前記フォームを圧縮する工程と、
（ｄ）  前記フォームを乾燥させる工程と
を含む、方法。
【請求項１４】
４０〜２００℃の範囲の温度で工程ｄ）を行う、請求項１２に記載の方法。
【誤訳訂正２】
【訂正対象書類名】明細書
【訂正対象項目名】０００２
【訂正方法】変更
【訂正の内容】
【０００２】
無機フィラーを含む難燃性の連続気泡（オープンセル）メラミン／ホルムアルデヒドフォームの製造は、先行技術から知られている。
【誤訳訂正３】
【訂正対象書類名】明細書
【訂正対象項目名】００１３
【訂正方法】変更
【訂正の内容】
【００１３】
「含浸物」という用語は、フォーム構造に適用された物質、本発明では、適用されたフィロシリケート、及び適用されたポリウレタン分散体、及びまた任意に適用された分散剤（分散補助剤）及び疎水剤／疎油剤を表す。また、「含浸物」という用語は、乾燥された適用された物質も包含する。
【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
標的器官内のポリペプチド発現のための単離されたｍＲＮＡ配列であって、
前記ポリペプチドをコードする少なくとも１つのコード配列と、
少なくとも第１の非翻訳領域（ＵＴＲ）配列と、
少なくとも３つの実質的に異なるマイクロＲＮＡ（ｍｉＲＮＡ）結合部位配列と、を含み、
前記少なくとも３つの実質的に異なるｍｉＲＮＡ結合部位配列は、前記第１のＵＴＲ配列内、前記第１のＵＴＲ配列のすぐ５’側、または前記第１のＵＴＲ配列のすぐ３’側に位置し、
前記少なくとも３つのｍｉＲＮＡ結合部位配列は、前記標的器官内の異なる細胞型におけるコード配列の差次的発現を可能にし、
前記ポリペプチドは、腫瘍溶解性ウイルスの病原性因子またはその等価物もしくは相同体を含む、単離されたｍＲＮＡ配列。
【請求項２】
前記ｍＲＮＡ配列は、３つより多くの結合部位配列を含む、請求項１に記載の単離されたｍＲＮＡ配列。
【請求項３】
前記複数のｍｉＲＮＡ結合部位配列は、複数の実質的に異なる配列からなる、請求項１または２に記載の単離されたｍＲＮＡ配列。
【請求項４】
前記第１および第２の細胞型は、非新生物細胞の表現型、形質転換細胞の表現型、前癌性細胞の表現型、および新生物の表現型を含む群からの異なる選択である、請求項１〜３のいずれか一項に記載の単離されたｍＲＮＡ配列。
【請求項５】
前記標的器官は、肝臓、脳、肺、乳房、および膵臓からなる群から選択される、請求項１〜４のいずれか一項に記載の単離されたｍＲＮＡ配列。
【請求項６】
前記ｍＲＮＡは、複数のコード配列を含む、請求項１〜５のいずれか一項に記載の単離されたｍＲＮＡ配列。
【請求項７】
前記マイクロＲＮＡ（ｍｉＲＮＡ）結合部位配列は、その変異体および相同体を含む１つ以上のｍｉＲＮＡ−１２２結合部位配列を含む、請求項１〜６のいずれか一項に記載の単離されたｍＲＮＡ配列。
【請求項８】
前記少なくとも３つの実質的に異なるｍｉＲＮＡ結合部位配列は、ｍｉＲＮＡ−１２２、ｍｉＲＮＡ−１２４ａ、ｍｉＲＮＡ−１２５、Ｌｅｔ−７、およびｍｉＲＮＡ−３７５からなる群より選択されるｍｉＲＮＡとハイブリダイズし得る、請求項１〜６に記載の単離されたｍＲＮＡ配列。
【請求項９】
請求項１〜８のいずれか一項に記載のｍＲＮＡ配列をコードする、ポリヌクレオチド発現ベクター構築物。
【請求項１０】
標的器官内のポリペプチド発現のための組成物であって、
送達粒子と、
前記送達粒子と複合体を形成するか、前記送達粒子によってカプセル化されるか、または前記送達粒子と関連する、少なくとも１つの請求項１に記載のｍＲＮＡ配列を含む、組成物。
【請求項１１】
前記送達粒子はアミノアルコールリピドイドを含む、請求項１０に記載の組成物。
【請求項１２】
前記ｍＲＮＡ配列は前記送達粒子によってカプセル化される、請求項１０または１１に記載の組成物。
【請求項１３】
前記送達粒子は、前記標的器官を標的とする、請求項１０〜１２のいずれか一項に記載の組成物。
【請求項１４】
前記送達粒子は、タンパク質、ペプチド、炭水化物、糖タンパク質、脂質、小分子および核酸から選択される標的化剤を含み、
前記標的化剤は、前記標的器官の細胞と優先的に会合する、請求項１０〜１３のいずれか一項に記載の組成物。
【請求項１５】
腫瘍溶解性ウイルス治療を対象に施すことを含む癌の治療に使用するための、請求項１０に記載の組成物。
【請求項１６】
前記癌は、肝癌、脳癌、肺癌、乳癌、または／および膵癌からなる群から選択される、請求項１５に記載の組成物。
【請求項１７】
前記癌は、肝癌である、請求項１６に記載の組成物。
【請求項１８】
前記ｍＲＮＡ配列は、腫瘍溶解性ウイルスの有効性を高める治療薬をコードする、請求項１５〜１７のいずれか１項に記載の組成物。
【請求項１９】
前記腫瘍溶解性ウイルスは、１つ以上の病原性遺伝子の突然変異によって弱毒化されている、請求項１５〜１８のいずれか１項に記載の組成物。
【請求項２０】
前記ｍＲＮＡ配列は、１つ以上の病原性遺伝子、またはその等価物もしくは相同体をコードする、請求項１９に記載の組成物。
【請求項２１】
前記腫瘍溶解性ウイルスは、ウイルスのボルティモア分類の第Ｉ〜ＶＩＩ群のいずれか１つから選択される、請求項１５〜２０のいずれか１項に記載の組成物。
【請求項２２】
前記腫瘍溶解性ウイルスは、水疱性口内炎ウイルス、マラバウイルス、ポリオウイルス、レオウイルス、麻疹ウイルス、ニューカッスル病ウイルス、コクサッキーウイルスＡ２１、パルボウイルス、単純ヘルペスウイルス１型、およびアデノウイルスのうちの１つ以上を含む群から選択される、請求項１５〜２１のいずれか１項に記載の組成物。
【請求項２３】
前記腫瘍溶解性ウイルスは、単純ヘルペスウイルスである、請求項１５〜２２のいずれか１項に記載の組成物。
【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
ナルコレプシーを処置するための、ガボキサドールまたはその薬学的に許容される塩を含む医薬組成物。
【請求項２】
０.１ｍｇ〜３０ｍｇのガボキサドールまたはその薬学的に許容される塩を含む、請求項１に記載の医薬組成物。
【請求項３】
ガボキサドールまたはその薬学的に許容される塩の一日投与量が１ｍｇ〜３０ｍｇである、請求項１に記載の医薬組成物。
【請求項４】
５ｍｇ〜２０ｍｇのガボキサドールまたはその薬学的に許容される塩を含む、請求項１に記載の医薬組成物。
【請求項５】
ガボキサドールまたはその薬学的に許容される塩の用量が０.１ｍｇ／ｋｇ〜１ｍｇ／ｋｇである、請求項１に記載の医薬組成物。
【請求項６】
１日１回、２回、３回または隔日投与される、請求項１に記載の医薬組成物。
【請求項７】
ＣＮＳ刺激剤、覚醒促進剤(eugeroic agent)、抗うつ剤およびＧＡＢＡＢ受容体アゴニストから成る群から選択される化合物をさらに含む、請求項１に記載の医薬組成物。
【請求項８】
ＣＮＳ刺激剤がアンフェタミン、右旋性アンフェタミン、メタンフェタミン、メチルフェニデート、フェンテルミン、ジエチルプロピオン、フェンジメトラジン、リスデキサンフェタミン、ベンズフェタミン、アトモキセチン、カフェインおよびエフェドリンから成る群から選択される、請求項７に記載の医薬組成物。
【請求項９】
覚醒促進剤がモダフィニルおよびアルモダフィニルから成る群から選択される、請求項７に記載の医薬組成物。
【請求項１０】
抗うつ剤がドーパミン作動性抗うつ剤、ドーパミン作動性賦活剤、セロトニン−ノルエピネフリン再取り込み阻害剤、ノルエピネフリン再取り込み阻害剤、モノアミンオキシダーゼ阻害剤、三環式抗うつ剤、四環式抗うつ剤および選択的セロトニン再取り込み阻害剤から成る群から選択される、請求項７に記載の医薬組成物。
【請求項１１】
ＧＡＢＡＢ受容体アゴニストがナトリウムオキシベート、バクロフェンおよびフェニビュートから成る群から選択される、請求項７に記載の医薬組成物。
【請求項１２】
ガボキサドールまたはその薬学的に許容される塩を含む医薬組成物であって、ナルコレプシーの１以上の症状を低減するために投与されるものである、医薬組成物。
【請求項１３】
ナルコレプシーの症状が日中の過剰な眠気、異常ＲＥＭ睡眠、カタプレキシー、睡眠麻痺、幻覚、無意識下での行動および夜間の覚醒状態から選択される、請求項１２に記載の医薬組成物。
【請求項１４】
ガボキサドールまたはその薬学的に許容される塩の投与量が５ｍｇ〜３０ｍｇである、請求項１２に記載の医薬組成物。
【請求項１５】
ＣＮＳ刺激剤、覚醒促進剤、抗うつ剤およびＧＡＢＡＢ受容体アゴニストから成る群から選択される化合物を投与することをさらに含む、請求項１２に記載の医薬組成物。
【請求項１６】
ナルコレプシーを処置するための、ガボキサドールまたはその薬学的に許容される塩を含む医薬組成物であって、患者の翌日機能の改善を提供する、医薬組成物。
【請求項１７】
患者が日中の過剰な眠気の量の低減を示す、請求項１６に記載の医薬組成物。
【請求項１８】
ガボキサドールまたはその薬学的に許容される塩の投与量が５ｍｇ〜３０ｍｇである、請求項１６に記載の医薬組成物。
【請求項１９】
ＣＮＳ刺激剤、覚醒促進剤、抗うつ剤およびＧＡＢＡＢ受容体アゴニストから成る群から選択される化合物をさらに含む、請求項１６に記載の医薬組成物。